(57)【要約】【課題】バリヤーフリーの観点から、キー補助具を指で押し込む（摘みながら押し込む場合も含む）ことにより、錠前を容易に解錠することができること。日常、普通一般に使用されているキーをそのまま用いて錠前を解錠させることができること。【解決手段】錠前用キーと係合する係合溝を有すると共に、円柱状外面にカム係合部を有するカム１と、該カムに外嵌合すると共に前記カム係合部３に係合するカーブ状制御案内部４を有する収納ケース１０とから成る錠前用キー補助具。【選択図】  図１
2007154608.tif 000002
【特許請求の範囲】
【請求項１】
錠前用キーと係合する係合溝を有すると共に、円柱状外面にカム係合部を有するカムと、該カムに外嵌合すると共に前記カム係合部に係合するカーブ状制御案内部を有する収納ケースとから成る錠前用キー補助具。
【請求項２】
請求項１に於いて、カム１が収納ケース１０から外れないように収納ケースの端部にキャップ状、前壁環状、突起状の何れかの係止手段１０ｂが設けられていることを特徴とする錠前用キー補助具。
【請求項３】
請求項１に於いて、収納ケースには、該収納ケースの内面とカムの一側外面との間に復帰バネ２０が内装されていることを特徴とする錠前用キー補助具。
【請求項４】
請求項１に於いて、カム又は収納ケースのいずれかに形成された制御案内部４Ａは、カムを解錠方向及び施錠方向の両方に回転させることができるように左右対称に形成されていることを特徴とする錠前用キー補助具。
【発明の詳細な説明】
【技術分野】
【０００１】
本発明は、マンションや一戸建ての玄関扉（玄関ドア）に取付けられた錠前用キー補助具に関する。
【背景技術】
【０００２】
一般家庭の玄関ドアには、通常、ドアの外側から鍵（以下、「キー」という。）の差込み、かつ、回転操作で施・解錠する通常の錠前が取付けられている。
【０００３】
この種の錠前用のキーは、扉の自由端部側に面付け、内設等の状態で取付けられた錠前を、解錠又は施錠するための操作手段であると認識されている。例えば可動障害子（ピンタンブラー）を有するシリンダー錠がサムターン装置とセットの状態で錠箱に取付けられ、扉の室外側からシリンダー錠の鍵穴にキーのブレード部分を差込むと、可動障害子が内筒体と外筒体のシャライン（内筒体が回転可能な状態）に揃うので、キーを時計方向或いは反時計方向へ９０度回転することができる。人々が、毎日、外出時や帰宅時に行っている行為である。
【０００４】
付言すれば、キーをシリンダー錠の鍵穴に挿入して、かつ、解錠方向又は施錠方向へ所定量回転操作すると、該操作力により、「ダルマ」と称される駆動腕が所定量回転して、デッドボルトと称される厚みのある長板状の施錠片が、戸枠の横向き凹所に設けた受け金具の蓋板状のストライクの矩形状係合孔に対して進退動（係脱）する。
【０００５】
ところで、キーは、少なくとも解錠時に摘み部分を回転操作することが必要であるが、指が不自由な方、身体障害者、高齢者等を対象にバリヤーフリーの観点から、商品（キーや補助具）を検討した場合には、解錠時にキーを指で容易に回すことができることが望まれる。
【０００６】
特許文献１は、キーの摘み部分に工夫を施してキーの回転力の容易化を図ろうとするものである。すなわち、特許文献１のキーは、キー本体から横方向に突出させることができる操作板をキー本体の摘み部分に軸支し、例えば解錠時（キー本体を回転させる時）、まず、指で前記操作板を横方向に回してキー本体から突出させ、次にキー本体を錠前に差込み、かつ、操作板に力を加えながら摘み部分を捻る。そうすると、操作板及び摘み部分でキー本体を回すことができるから、少ない力で大きな回転力が得られる。
【０００７】
しかしながら、上記構成のキーは、摘み部分が特殊形状（例えば長板状）にする必要があること、また、摘み部分に操作板を軸支することから、通常使用されているキーをそのまま用いることができない、操作時に操作板を回さなければならないなど多くの問題点がある。
【０００８】
そこで、キーの摘み部分に細工をするのではなく、望ましくは家庭で普通一般に使用されているキーをそのまま用い、かつ、解錠時にキーを容易に回すことができる錠前用キー補助具の出現が要望されている。
【特許文献１】特開平６−１１０８９１７号公報
【発明の開示】
【発明が解決しようとする課題】
【０００９】
本発明の第１の目的は、バリヤーフリーの観点から、キー補助具を指で押し込む（摘みながら押し込む場合も含む）ことにより、錠前を容易に解錠することができることである。第２の目的は、望ましくは、日常、普通一般に使用されているキーをそのまま用いて錠前を解錠させることができることである。第３の目的は、普通一般のキーを簡単にキー補助具に装着することができることである。第４の目的は、簡単な構成の切換え手段により、錠前用キーを解錠方向及び施錠方向の両方に回転させることができることである。
【課題を解決するための手段】
【００１０】
本発明の錠前用キー補助具は、錠前用キーＫと係合する係合溝２を有すると共に、円柱状の外面１ｂにカム係合部３を有するカム１と、該カムに外嵌合すると共に前記カム係合部に係合するカーブ状制御案内部４を有する収納ケース１０とから成ることを特徴とする。
【００１１】
上記構成に於いて、カムが収納ケースから外れないように収納ケースの端部にキャップ状、前壁環状、突起状の何れかの係止手段１０ｂが設けられていることを特徴とする。また、収納ケースには、該収納ケースの内面とカムの一側外面との間に復帰バネ２０が内装されている。
【００１２】
さらに、収納ケースの制御案内部４Ａは、カム１を解錠方向及び施錠方向の両方に回転させることができるように左右対称に形成されていることを特徴とする。
【発明の効果】
【００１３】
（ａ）バリヤーフリーの観点から、キー補助具を指で押し込むことにより、錠前を容易に解錠することができる。
（ｂ）日常、普通一般に使用されているキーをキー補助具に簡単に装着し、かつ、そのまま用いて錠前を解錠させることができる。
（ｃ）簡単な構成の切換え手段により、錠前用キーを解錠方向及び施錠方向の両方に回転させることができる。
（ｄ）請求項３に記載の発明は、錠前用キーを解錠方向又は／及び施錠方向の両方に回転させた場合に於いて、収納ケースから指を離すと、補助具の収納ケースは自動的に初期位置へと戻る。
【発明を実施するための最良の形態】
【００１４】
以下、図１乃至図５に示す本発明を実施するための最良の形態（第１実施例）により説明する。
【００１５】
（１）発明の実施の環境
図１は第１実施例の分解斜視図である。図１に於いて、まず、Ｋは日常生活で普通一般に使用されているキーである。したがって、該キーＫは、周知のように金属製であり、ブレード部分５１と、該ブレード部分に連設する摘み部分５２とを有している。Ｘは、「軸方向（ブレード部分の延びている方向）」である。
【００１６】
次に、ＳはキーＫを取外し自在に、又はキーＫを一体的（ぴったり）に装着することができる錠前用キー補助具である。このキー補助具Ｓは金属又は硬質の合成樹脂材で成形され、本実施例では、カム１と、該カム１をスライド自在に内装する収納ケース（制御ケース）１０と、カム１を原点位置（初期位置）に戻すことができる復帰バネ２０の「三部品」の組み合わせにより構成されている。本発明の特定要件（三部品）について順次説明する。
【００１７】
（２）カム１
まず、円柱状のカム１について説明する。カム１は、中空又は中実である。しかして、１ａはカム１の先端面、１ｂは円柱状の外面、１ｃは後端面（一側外面）である。２は先端面１ａから後端面１ｃに向かって形成された矩形状開口の係合溝（嵌合溝）で、該係合溝２には、本実施例ではキーＫの摘み部分５２を遊嵌合状態、又は隙間のない状態で差込み可能である。
【００１８】
係合溝２と摘み部分５２の嵌合関係が遊嵌合状態である場合には、当然キーＫはカム１に対して装着自在である。一方、緊嵌合状態である場合には、キーＫはカム１から容易に外れない。係合溝２の深さは、摘み部分５２の大きさを考慮して適宜に設定されている。
したがって、係合溝２の深さは、摘み部分５２の一部が入り込むようにＸ軸方向に所要量形成されている。それ故に、円柱状のカム１も所要の大きさに形成されている。望ましくはキー補助具Ｓのコンパクト化を図るために、必要最低限度の大きさに設定すべきである。
【００１９】
３は円柱状の外面１ｂに形成されたカム係合部で、本実施例では、先端面１ａ寄りの適宜部位に突出形成された、或いは取付け穴に植設された小さな係合突起である。この小片状の係合突起３は、収納ケース１０のカーブ状制御案内部４に係合する。
【００２０】
なお、カム係合部３は、本実施例では小突起（カム突起）であるが、もちろん、前記制御案内部４を凸状にした場合には、該小突起（カム突起）３は逆にカーブ状係合凹所（カム凹所）に設計変更され得る。
【００２１】
（３）収納ケース１０
次に円筒状の収納ケース（制御ケース）１０について説明する。本実施例の収納ケース１０は、先端部１１に円形開口１２を有するケース本体１０ａと、該ケース本体１０ａの先端部１１に螺着自在に螺合するキュップ状の係止手段１０ｂとから成る。前記ケース本体１０ａは、円柱状カム１を収納することができる大きさに形成されている。
【００２２】
しかして、１１はケース本体１０ａの先端部、１３は周胴部、１４は後端部である。本実施例では、ケース本体１０ａの先端部１１の外周に不番のオネジが形成され、一方、係止手段１０ｂの内周面に前記オネジに螺合する不番のメネジが形成されている。
【００２３】
環状前壁の中央部に円形形状の開口１６が形成さたれ係止手段１０ｂは、不番の環状前壁に周設された螺合部分を有している。本実施例の収納ケース１０は、ケース本体１０ａの先端部１１に係止手段（ストツパー）１０ｂを備えているので、カム１は補助具の押圧操作時に復帰バネ２０のバネ力が先端部側に作用してもケース本体１０ａから外れない。
【００２４】
なお、本実施例では、前記係止手段１０ｂはケース本体１０ａの先端部１１に設けられているが、もちろん、設計変更して、例えばケース本体１０ａの後端部１４に環状係止手段１０ｂを螺着する反面、前記先端部１１にブレード部分５１が貫通する図示しない挿通孔を形成しても良い。
【００２５】
また、ケース本体１０ａに収納したカム１が復帰バネ２０のバネ力により収納ケース１０の先端部から外れないように、キュップ状の係止手段１０ｂに代えて係止鍔（前壁環状）、複数個の係止突起等をケース本体１０ａの先端部１１に設けることもできる。要はカム１が復帰バネ２０のバネ力により、収納ケース１０或いはケース本体１０ａから外れなければ良い。
【００２６】
前述したカーブ状制御案内部４は、図１で示すように、周胴部１３に先端部１１から後端部１４に向かって弧状に形成されている。本実施例のカーブ状制御案内部４は、図示しない扉の錠前を、少なくとも「解錠」又は「施錠」するだけで良い、という技術的思想に基づき、例えば「解錠」する場合を一例として所要の形状（長さ）に形成されている。
【００２７】
であるから、制御案内部４の一例としての案内長孔は、駆動部に相当し、一方、制御案内部４に係合する係合突起３は従動部に相当する。
【００２８】
（４）復帰バネ２０
復帰バネ２０は、収納ケース１０（ケース本体１０ａ）の後端部１４の内面１４ａと前記カムの後端部一側外面１ｃとの間に内装されている。本実施例の復帰バネ２０は、圧縮バネ（押しばね）である。
【００２９】
しかして、復帰バネ２０の一端部（先端部）にはカム１の後端面（一側外面）１ｃを滑動する曲面状の滑り片２１が取付けられている。また、復帰バネ２０の他端部は、ケース本体１０ａの後端部１４の内壁面に適宜に支持されている。なお、滑り片２１は本発明の従属的構成であることから、滑り片２１に代えて、例えば復帰バネ２０の一端部（先端部）を球状、半球状等にすることもできる。
【００３０】
（５）キーＫの装着
図２はキーＫをキー補助具Ｓに装着する前の状態を示す。一方、図３は環状係止手段１０ｂをケース本体１０ａの先端部１１から外し、かつ、キー補助具Ｓのカム１の係合溝２にキーＫの摘み部分５２を差し込んだ場合の斜視図である。
【００３１】
図２及び図３から明らかなように、本発明のキー補助具Ｓは、特定のキー（１個のキー）を対象とするものではなく、日常、普通一般に使用されているキーＫを対象とする。そして、図４で示すようにキーＫをカム１の係合溝２に差し込んだ場合には、係止手段１０ｂをケース本体１０ａの先端部１１に螺合する。そうすると、キー補助具Ｓから少なくともキーＫのブレード部分５１が突出する。付言すると、キーＫをキー補助具Ｓに装着した場合には、図３で示すように、摘み部分５２の前部ないし中央部は、カム１の先端面１ａから所要量突出している。
【００３２】
（６）作用
図５に於いて、仮想線部分は、錠前ａである。錠前ａは、周知のように、鍵穴ｂを有する内筒と、内筒に外嵌合する外筒を備えている。
【００３３】
錠前を解錠する時、キーＫのブレード部分５１を錠前ａの鍵穴ｂに差込み、そのままの状態で収納ケース１０（ケース本体１０ａ）の後端部１４の外面（表面）を矢印Ａ方向に指で押し込むと、カム１は、係合突起３と制御案内部４との摺接関係により、かつ、ケース本体１０ａの水平移動に連動して解錠方向へ９０度回転する。この時、係合突起３は収納ケース体１０の制御案内部４の曲率に沿って後端部１４側へと位置変位する。
【００３４】
錠前を解錠したならば、そのままケース本体１０ａから指を離すと、キーＫのブレード部分５１は錠前ａの鍵穴ｂに差込み固定されていることから、復帰バネ２０のバネ力により、収納ケース１０（或いは設計如何により、ケース本体１０ａ）が回転する。そうすると、カム１の係合突起３は初期位置へと自動的に戻る。
【００３５】
なお、復帰バネ２０は、錠前用キーを解錠方向又は／及び施錠方向の両方に回転させた場合に於いて、補助具の収納ケースを自動的に初期位置へと戻すという発明の効果との関係では、本発明の特定要件となる。
【実施例】
【００３６】
発明の実施の形態で示した実施例に於いて、キーＫには、日常生活で普通一般的使用されているものが全て含まれる。したがって、キーＫのブレード部分５１の辺に溝が刻まれているものは当然に含まれる。
【００３７】
また、復帰バネ２０の一端部にはカム１の後端面１ｃを滑動する曲面状の滑り片２１が取付けられているが、該滑り片２１の材質は滑動を良好にする合成樹脂材が適宜に選択される。また、カム１の後端面１ｃと滑り片２１の曲面状外面との間にグリスを塗布しても良い。
【００３８】
さらに、キー補助具Ｓの制御案内部４を、図６で示すようにして構成しても良い。すなわち、図６のキー補助具Ｓ１の収納ケース１０Ａに形成された制御案内部４Ａは、カム１を解錠及び施錠の方向に回転させることができるように左右対称に形成されている。なお、制御案内部４Ａは、カム１又は収納ケース１０Ａのいずれかに形成しても良い。
【００３９】
本実施例のキー補助具Ｓ、Ｓ１は、収納ケース１０Ａの押し込み操作により、収納ケース内のカム１が所定方向（解錠方向又は／及び施錠方向）に回転するものであるが、押し込み操作の際、収納ケース１０Ａを指で摘みながら押し込んでも良い。その際、収納ケース１０Ａを左右何れかの方向に若干操作しながら押し込み操作しても「押し込み」の概念に含まれる。
【００４０】
要は、本発明の主たる目的との関係で、収納ケース１０Ａを施・解錠するために所要量回す必要があると評価されない限り、切換え操作のために多少回しても「発明の本質的事項」は変わらない。
【００４１】
なお、本実施例では、望ましくは、日常、普通一般に使用されているキーをそのまま用いて錠前を解錠させることができることであるが、第三者は本発明を回避するために摘み部分なしキーのブレート部分の基端部をカム１の係合溝２に差し込む実施形態も予想される。しかし、本発明は、このような実施例を排除するものではない。
【産業上の利用可能性】
【００４２】
本発明は、主に錠前や建具の業界で利用される。
【図面の簡単な説明】
【００４３】
図１乃至図５は本発明の最良の実施例を示す各説明図。図６は本発明の第２実施例。
【図１】第１実施例の分解斜視図。
【図２】キーＫをキー補助具Ｓに装着する前の状態を示す概略説明図。
【図３】キーＫをキー補助具Ｓのカムに嵌め込んだ場合の概略説明図。
【図４】キーＫをキー補助具Ｓに装着した場合の状態を示す概略説明図。
【図５】作用の説明図。
【図６】第２実施例の概略説明図。
【符号の説明】
【００４４】
Ｋ…キー、５２…ブレード部分、５１…摘み部分、Ｓ、Ｓ１…キー補助具、Ｘ…軸方向、１…カム、１ａ…は先端面、１ｂ…円柱状外面、１ｃ…後端面（一側外面）、２…係合溝、３…カム係合部、１０，１０Ａ…収納ケース、１０ａ…ケース本体、１０ｂ…係止手段、４、４Ａ…制御案内部、２０…復帰バネ、ａ…錠前、ｂ…鍵穴。
【図１】
2007154608.tif 000003
【図２】
2007154608.tif 000004
【図３】
2007154608.tif 000005
【図４】
2007154608.tif 000006
【図５】
2007154608.tif 000007
【図６】
2007154608.tif 000008